(57)【要約】【課題】インクジェット記録装置にあって、普通紙を用いても高速で高品位な記録を可能にする。【解決手段】表面処理剤を塗布する手段に対し、被記録材を加熱する手段を被記録剤の搬送方向の上流側に設ける。【選択図】　　　　図１
2004130659.tif 000002
【特許請求の範囲】
【請求項１】
被記録材の搬送方向と直交する方向に走査する走査手段を具えたインクジェット記録ヘッドを用い、
被記録材にインクを吐出して記録を行うインクジェット記録装置のうち、
前記被記録材の表面処理剤を塗布する手段と
前記被記録材を加熱する手段を有するインクジェット記録装置にあって、
表面処理剤を塗布する手段に対し、前記被記録材を加熱する手段が被記録剤の搬送方向の上流側に設けられている事を特徴とするインクジェット記録装置。
【請求項２】
前記加熱手段が加熱ローラーである事を特徴とする請求項１に記載のインクジェット記録装置。
【請求項３】
前記加熱手段が加熱プラテンである事を特徴とする請求項１に記載のインクジェット記録装置。
【請求項４】
前記加熱手段が熱線ヒータと反射板である事を特徴とする請求項１記載のインクジェット記録装置。
【請求項５】
前記インクジェット記録ヘッドは、熱エネルギーを利用してインクに気泡を生じさせ該気泡の生成に基づいてインクを吐出するものであることを特徴とする請求項１ないし４いずれかに記載のインクジェット記録装置。
【発明の詳細な説明】
【０００１】
【発明の属する技術分野】
本発明は、印刷データに一致して着色液体液滴を被記録材に吐出するインクジェット記録装置に関し、特に表面処理剤を吐出し、これを被記録材に定着させる加熱・乾燥手段を有する記録装置に関する。
【０００２】
【従来の技術】
インクジェット記録方式は、単色のインク、またはカラー記録に対応した複数色のインクを被記録材（紙、布、ＯＨＰ用紙、プリント回路基板など）上に吐出することによって画像を形成する方式である。この方式を採用したインクジェット記録装置は、記録ヘッドおよびインクタンクを搭載するキャリッジと、被記録材を搬送する搬送部と、これらを制御する制御部とを具備している。
【０００３】
この様なインクジェット記録装置は、記録ヘッドを被記録材の搬送方向（副走査方向）と略直行する方向（主走査方向）にシリアルスキャンさせながら複数の吐出口からインク滴を吐出させ、一方で被記録時に被記録材を記録幅に等しい量での間欠搬送を行うことによって被記録材上に順次記録を施す。この記録方式は、記録信号に応じてインクを直接被記録材上に吐出させて行うので、高速かつ安易で安価な記録方式として既に広く用いられている他、普通紙への記録やフルカラー化も容易のため、その将来性が大きく期待されている。
【０００４】
この様なインクジェット記録装置では普通紙に対する記録は、吸湿性と発色性の悪さから、表面処理された専用紙ほどは高品位で行う事ができなかった。しかし表面処理された専用紙は、高価であることや、流通範囲が限られているため、通常は品位の悪い印刷になることを承知で印刷を行ったりすることが多く、カラープリンタを用いたカラー印刷方法の普及を妨げていた。
【０００５】
そのためインク液滴に先立ち表面処理剤を被記録材に塗布し、被記録材表面上にインク吸湿層を設ける方法があった。しかし一般に表面処理剤はインクに比べて単位面積当たりの塗布量が過大なため、表面処理剤が乾燥する前にインクを塗布してしまう事があり、微少なインクの滲み所謂フェザリングを起こす事があった。
【０００６】
そこで、インク改質剤の塗布手段に対し、被記録材の搬送方向下流の裏側に加熱手段を設け、被記録材を加熱して塗布された表面処理剤の乾燥を促進する方法がある（図１６参照）（例えば、特許文献１、特許文献２参照。）。
【０００７】
【特許文献１】
特開平１−８５７６６号公報
【特許文献２】
特開平１０−２７８３７９号公報
【０００８】
【発明が解決しようとする課題】
しかしこの方法では、厚い被記録材を使用した場合や、記録時間を短縮する目的で被記録材の搬送速度を高速化した場合、被記録材の表側が十分に加熱されず、乾燥効果が不十分であった。
【０００９】
そこで本発明は、前記従来の技術の有する未解決の課題に鑑みて成されたものであり、普通紙を用いても高速で高品位記録が可能なインクジェット記録装置を提供することを目的とする。
【００１０】
【課題を解決するための手段】
前記の目的を達成するために、表面処理剤を塗布する手段に対し、被記録材を加熱する手段を被記録剤の搬送方向の上流側に設ける。
【００１１】
すなわち、本発明の技術内容は以下の構成を備えることにより前記課題を解決できた。
【００１２】
（１）被記録材の搬送方向と直交する方向に走査する走査手段を具えたインクジェット記録ヘッドを用い、被記録材にインクを吐出して記録を行うインクジェット記録装置のうち、前記被記録材の表面処理剤を塗布する手段と前記被記録材を加熱する手段を有するインクジェット記録装置にあって、表面処理剤を塗布する手段に対し、前記被記録材を加熱する手段が被記録剤の搬送方向の上流側に設けられている事を特徴とするインクジェット記録装置。
【００１３】
（２）前記加熱手段が加熱ローラーである事を特徴とする前記（１）に記載のインクジェット記録装置。
【００１４】
（３）前記加熱手段が加熱プラテンである事を特徴とする前記（１）に記載のインクジェット記録装置。
【００１５】
（４）前記加熱手段が熱線ヒータと反射板である事を特徴とする前記（１）記載のインクジェット記録装置。
【００１６】
（５）前記インクジェット記録ヘッドは、熱エネルギーを利用してインクに気泡を生じさせ該気泡の生成に基づいてインクを吐出するものであることを特徴とする前記（１）ないし（４）いずれかに記載のインクジェット記録装置。
【００１７】
【作用】
以上の構成によれば、本発明のインクジェット記録装置は、被記録材を加熱する手段を、表面処理剤を塗布する手段に対し、前記被記録剤の搬送方向の上流側に設けるという簡単で低コストな手段により、塗布された表面処理剤を速やかに乾燥させることが出来るので普通紙を用いても高速で高品位記録が可能である。
【００１８】
以下実施例を挙げて本発明をより具体的に説明するが、本発明はこれらの実施例に限られるものではなく、本発明の目的が達成されるものであれば、各構成要素が代替物に置換されたものであってもよい。
【００１９】
【発明の実施の形態】
（第１の実施例）
以下、本発明の第１の実施例について、図面を参照しながら詳細に説明する。
【００２０】
図１は、本発明の第１と２の請求項に基づいたインクジェット記録装置の一例を説明する為の斜視図である。インクキャリッジ２１はインクキャリッジ駆動ベルト２４を介し、インクキャリッジ駆動モータ２３により、被記録材１２の通紙方向に対し垂直に移動する。同被記録材は図示されていない通紙モータにより搬送されるが、同通紙モータと前記インクキャリッジ駆動モータは図示されていない制御回路によりその動作を制御されている。インク吐出回復部２６は図示されていないインク吐出回復ポンプを具え、図示されていないインクジェット記録ヘッドが当接された時、同回復ポンプによりインクを吸引することができる。
【００２１】
また表面処理剤キャリッジ１１は表面処理剤キャリッジ駆動ベルト１４を介し、表面処理剤キャリッジ駆動モータ１３により、前記被記録材１２の通紙方向に対し垂直に移動する。前記表面処理剤キャリッジ駆動モータは図示されていない前記制御回路によりその動作を制御されている。表面処理剤吐出回復部１６は図示されていないインク吐出回復ポンプを備え、図示されていない表面処理剤塗布ヘッドが当接された時、同回復ポンプにより表面処理剤を吸引することができる。
【００２２】
表面処理剤は多孔質シリカ粒子及びアルミナゾル、ベーマライトのうち一種類以上を含んで構成されている。
【００２３】
本実施例では本発明の請求項１と２に基づき加熱ローラー２０が前記表面処理剤キャリッジに対し、前記被記録剤の搬送方向の上流側に設けられている。前記加熱ローラー２０の材質はステンレス・鉄やアルミニウムなど熱伝導性が高い一方、適当な強度を持っているものが望ましい。前記加熱ローラー２０内部には加熱ヒータ２８が設けられており、図示していない電源供給回路から電力が印可されると熱線を発し前記加熱ローラー２０を内面から暖める。
【００２４】
図２はインクキャリッジを被記録材方向から見たインクキャリッジ部分の拡大図である。インク液滴はインクジェット記録ヘッド１９上に設けられた、ノズルより吐出される。同インクジェット記録ヘッドと同ノズルは、吐出するインク色数と同じ組み数設けられている。
【００２５】
図３は表面処理剤キャリッジを被記録材方向から見たインクキャリッジ部分の拡大図である。表面処理剤液滴はインクジェット記録ヘッド１９上に設けられた、ノズルより吐出される。
【００２６】
図４は前記加熱ローラー２０の作用を説明するための、横から見た模式図である。前記加熱ヒータ２８は同加熱ローラー２０を介し、前記被記録材１２を加熱する。この熱が同被記録材１２の表に達した後、表面処理剤が塗布されるので、同被記録材１２は十分に乾燥される。
【００２７】
（第２の実施例）
以下、本発明の第２の実施例について、図面を参照しながら詳細に説明する。
【００２８】
図５は本発明の第１と３の請求項に基づいたインクジェット記録装置の一例を説明する為の斜視図である。図５は加熱ローラーの代りに加熱プラテン２７が設けられている他は図１と同様であるため説明を省略する。
【００２９】
図６は前記加熱プラテン２７の作用を説明するための、横から見た模式図である。前記加熱ヒータ２８は前記加熱プラテン２７を介し、前記被記録材１２を加熱する。この熱が同被記録材１２の表に達した後、表面処理剤が塗布されるので、同被記録材１２は十分に乾燥される。
【００３０】
（第３の実施例）
以下、本発明の第３の実施例について、図面を参照しながら詳細に説明する。
【００３１】
図７は本発明の第１と４の請求項に基づいたインクジェット記録装置の一例を説明する為の斜視図である。図７は加熱ローラーの代りに加熱ヒータ２８と反射板２９が設けられている他は図１と同様であるため説明を省略する。
【００３２】
図８は前記加熱ヒータ２８と反射板２９作用を説明するための、横から見た模式図である。前記加熱ヒータ２８は直接もしくは反射板２９を介し前記被記録材１２を加熱する。この熱が同被記録材１２の表に達した後、表面処理剤が塗布されるので、同被記録材１２は十分に乾燥される。
【００３３】
（第４の実施例）
以下、本発明の第４の実施例について、図面を参照しながら詳細に説明する。被記録材方向から見たキャリッジ部分の拡大図である。
【００３４】
図９は、本発明の第１と２の請求項に基づいたインクジェット記録装置の一例を説明する為の斜視図である。図９は表面処理剤キャリッジの代りに表面処理剤塗布器３１を備えている他は図１と同様であるので説明を省略する。
【００３５】
図１０は、前記表面処理剤塗布器３１の仕組みを説明するための模式図である。同前記表面処理剤塗布器３１の内部には表面処理剤を合浸させた多孔質状のウェブローラー３２が設けて有り、表面処理ローラー３３の表面上に表面処理剤を薄くコーティングした後、この表面処理塗布ローラー３３を図示していないモーターで回転移動させ、前記被記録材１２の表面に表面処理剤を塗布する。
【００３６】
図１１は前記加熱ローラー２０の作用を説明するための、横から見た模式図である。前記加熱ヒータ２８は同加熱ローラー２０を介し、前記被記録材１２を加熱する。この熱が同被記録材１２の表に達した後、表面処理剤が塗布されるので、同被記録材１２は十分に乾燥される。
【００３７】
（第５の実施例）
以下、本発明の第５の実施例について、図面を参照しながら詳細に説明する。
【００３８】
被記録材方向から見たキャリッジ部分の拡大図である。
【００３９】
図１２は、本発明の第１と３の請求項に基づいたインクジェット記録装置の一例を説明する為の斜視図である。図１２は表面処理剤キャリッジの代りに表面処理剤塗布器３１を備えている他は図５と同様であるため説明を省略する。
【００４０】
図１３前記加熱プラテン２７の作用を説明するための、横から見た模式図である。前記加熱ヒータ２８は前記加熱プラテン２７を介し、前記被記録材１２を加熱する。この熱が同被記録材１２の表に達した後、表面処理剤が塗布されるので、同被記録材１２は十分に乾燥される。
【００４１】
（第６の実施例）
以下、本発明の第６の実施例について、図面を参照しながら詳細に説明する。被記録材方向から見たキャリッジ部分の拡大図である。
【００４２】
図１４は、本発明の第１と４の請求項に基づいたインクジェット記録装置の一例を説明する為の斜視図である。図１４は表面処理剤キャリッジの代りに表面処理剤塗布器３１を備えている他は図７と同様であるため説明を省略する。
【００４３】
図１５は前記加熱ヒータ２８と反射板２９作用を説明するための、横から見た模式図である。前記加熱ヒータ２８は直接もしくは反射板２９を介し前記被記録材１２を加熱する。この熱が同被記録材１２の表に達した後、表面処理剤が塗布されるので、同被記録材１２は十分に乾燥される。
【００４４】
【発明の効果】
以上説明したように、本発明に基づくインクジェット記録装置は、塗布された表面改質剤を短時間で効果的に乾燥させるので、普通紙を用いても高速で高品位記録が可能である。
【図面の簡単な説明】
【図１】本発明の第１の実施例に係る記録装置の構成の一例を説明する為の斜視図である。
【図２】本発明の第１の実施例に係る記録装置のインクキャリッジの構成を説明する為の拡大図である。
【図３】本発明の第１の実施例に係る記録装置の表面処理剤キャリッジの構成を説明する為の拡大図である。
【図４】本発明の第１の実施例に係る記録装置の加熱ローラーの作用を説明する為の模式図である。
【図５】本発明の第２の実施例に係る記録装置の構成の一例を説明する為の斜視図である。
【図６】本発明の第２の実施例に係る記録装置の加熱プラテンの作用を説明する為の模式図である。
【図７】本発明の第３の実施例に係る記録装置の構成の一例を説明する為の斜視図である。
【図８】本発明の第３の実施例に係る記録装置の加熱ヒータと反射板の作用を説明する為の模式図である。
【図９】本発明の第４の実施例に係る記録装置の構成の一例を説明する為の斜視図である。
【図１０】本発明の第４の実施例に係る記録装置の表面処理剤塗布器の構成を説明する為の模式図である。
【図１１】本発明の第４の実施例に係る記録装置の加熱ローラーの作用を説明する為の模式図である。
【図１２】本発明の第５の実施例に係る記録装置の構成の一例を説明する為の斜視図である。
【図１３】本発明の第５の実施例に係る記録装置の加熱プラテンの作用を説明する為の模式図である。
【図１４】本発明の第６の実施例に係る記録装置の構成の一例を説明する為の斜視図である。
【図１５】本発明の第６の実施例に係る記録装置の加熱ヒータと反射板の作用を説明する為の模式図である。
【図１６】従来の表面処理剤の塗布手段と被記録材の加熱手段を具備した記録装置の構成の一例を説明する為の斜視図である。
【符号の説明】
１１　表面処理剤キャリッジ
１２　被記録材
１３　表面処理剤キャリッジ駆動モータ
１４　表面処理剤キャリッジ駆動ベルト
１５　表面処理剤キャリッジ駆動レール
１６　表面処理剤吐出回復部
１７　搬送ローラー
１８　インクタンク
１９　インクジェット記録ヘッド
２０　加熱ローラー
２１　インクキャリッジ
２３　インクキャリッジ駆動モータ
２４　インクキャリッジ駆動ベルト
２５　インクキャリッジ駆動レール
２６　インクキャリッジ吐出回復部
２７　加熱プラテン
２８　加熱ヒータ
２９　反射板
３１　表面処理剤塗布器
３２　ウェブローラー
３３　表面処理剤塗布器ローラー
【図１】
2004130659.tif 000003
【図２】
2004130659.tif 000004
【図３】
2004130659.tif 000005
【図４】
2004130659.tif 000006
【図５】
2004130659.tif 000007
【図６】
2004130659.tif 000008
【図７】
2004130659.tif 000009
【図８】
2004130659.tif 000010
【図９】
2004130659.tif 000011
【図１０】
2004130659.tif 000012
【図１１】
2004130659.tif 000013
【図１２】
2004130659.tif 000014
【図１３】
2004130659.tif 000015
【図１４】
2004130659.tif 000016
【図１５】
2004130659.tif 000017
【図１６】
2004130659.tif 000018